(57)【要約】      （修正有）【課題】設置スペースをできるだけ小さくすることができる消火ポンプユニットを提供すること。【解決手段】消火ポンプユニット１０は、屋外に設置されて使用され、地面に設置されるベース部１１と、このベース部１１上に設置されたステンレス製の消火水槽２０と、この消火水槽２０の側方に設置された機械室３０とが一体的に設けられ、機械室３０内部には、消火水槽２０内の水をスプリンクラー設備に圧送するポンプ４０が設けられている。【選択図】図１
2015047315.tif 000002
【特許請求の範囲】
【請求項１】
消火水槽と、
この消火水槽に隣接して設けられ、前記消火水槽から水が供給される消火ポンプを有する機械室と、
前記消火水槽と前記機械室とを一体に収容するハウジングとを備えていることを特徴とする消火ポンプユニット。
【発明の詳細な説明】
【技術分野】
【０００１】
本発明は、消火設備に用いられる消火ポンプユニットに関し、特に設置場所の省スペース化を図る技術に関する。
【背景技術】
【０００２】
消火用水の水源として貯留する消火水槽と、消火水槽の水を圧送させるポンプとを備えて構成された消火ポンプユニットが知られている。
【０００３】
このような消火ポンプユニットは、例えばスプリンクラーヘッドまで所定の圧力の水が充満するようにしておき、火災の発生によりスプリンクラーヘッドが開放すると、水の流出により、スプリンクラー設備の圧力水槽の水圧が低下し、それによりポンプが起動して、消火水槽内に貯めてある水を汲み上げてスプリンクラーヘッドから放出させる。このような消火ポンプユニットでは、一般に、消火水槽とポンプとが個別に設置されている。
【先行技術文献】
【特許文献】
【０００４】
【特許文献１】特開２００１−２９４９９号公報
【発明の概要】
【発明が解決しようとする課題】
【０００５】
上述した消火ポンプユニットでは、次のような問題があった。すなわち、消火水槽とポンプとを個別に設置する構成であるため、設置スペースが大きくなるという問題がある。また、消火ポンプを屋外に設置する場合は、鋼板製のポンプカバーを設ける必要があり、製造費用が高くなるという問題がある。
【０００６】
そこで本発明は、設置スペースをできるだけ小さくすることができる消火ポンプユニットを提供することを目的としている。
【課題を解決するための手段】
【０００７】
前記課題を解決し目的を達成するために、本発明の消火ポンプユニットは次のように構成されている。
【０００８】
消火水槽と、この消火水槽に隣接して設けられ、前記消火水槽から水が供給される消火ポンプを有する機械室と、前記消火水槽と前記機械室とを一体に収容するハウジングとを備えていることを特徴とする。
【発明の効果】
【０００９】
本発明によれば、設置スペースをできるだけ小さくすることが可能となる。
【図面の簡単な説明】
【００１０】
【図１】本発明の一実施の形態に係る消火ポンプユニットを一部切欠して示す正面図。
【図２】同消火ポンプユニットを一部切欠して示す平面図。
【図３】同消化ポンプユニットの要部構成を示す側面図。
【発明を実施するための形態】
【００１１】
図１は、本発明の一実施の形態に係る消火ポンプユニット１０を一部切欠して示す正面図、図２は同消火ポンプユニット１０を一部切欠して示す平面図、図３は同消化ポンプユニット１０の要部構成、具体的には、消化ポンプユニット１０に用いられるポンプ４０の構成を示す側面図である。
【００１２】
消火ポンプユニット１０は、例えば、例えば屋外に設置されて使用される。消火ポンプユニット１０は、地面に設置されるベース部１１と、このベース部１１上に設置されたステンレス製の消火水槽２０と、この消火水槽２０の側方に設置された機械室３０とが一体的に設けられている。機械室３０内部には、消火水槽２０内の水をスプリンクラー設備に圧送するポンプ４０が設けられている。
【００１３】
消火水槽２０は、内部に水を貯留する空間を形成するとともに上側に開口を有する槽本体２１と、当該開口を塞ぐように設けられた蓋体２２とを備えて構成され、例えば、水道水を消火用水の水源として貯留する。
【００１４】
槽本体２１の側壁２５には、側壁２５を通って槽本体２１外部において下方に延びるオーバーフロー管２６が組み込まれている。このオーバーフロー管２６の下端部は、外部に接続されている。またこのオーバーフロー管２６の上端部は槽本体２１の内部に連通している。
【００１５】
また槽本体２１内には、水位検出用の長尺な電極棒２７が設けられている。この電極棒２７は、外部の制御盤等に接続され、消火水槽２０内に貯留された水量が制御盤へ出力される。
【００１６】
機械室３０の床面には、例えば電動駆動式のポンプ４０が据え付けられている。ポンプ４０は、ポンプ部４１と、このポンプ部４１を駆動する電動機４２とを備えている。
【００１７】
ポンプ部４１は、吸入口８０と吐出口４３とを有している。吸入口８０には、吸入配管８１が連結されている。吸入口８０は、この吸入配管８１を介して、消火水槽２０内に連通している。
【００１８】
吐出口４３は吐出配管４５を介して、スプリンクラーヘッド（不図示）に接続されている。吐出配管４５には、逆止弁４６及び仕切弁（開閉弁）４７が順番に設けられている。
【００１９】
スプリンクラー設備は、消火水槽２０によりスプリンクラーヘッドまで所定の圧力の水が充満されている。火災の発生によりスプリンクラーヘッドが開放し、水の流出により圧力水槽の水圧が低下すると、ポンプ４０が起動して、消火水槽２０内の水が、吸入口８０から吸入され、吐出口４３を通ってスプリンクラーヘッドへ送られ、外部のスプリンクラー設備から放射される。
【００２０】
以上のように構成された消火ポンプユニット１０の動作について説明する。消火ポンプユニット１０は、消火水槽２０に溜まる水がポンプ４０内に充満されていて、即、ポンプ４０運転が起動できる状態になっている。
【００２１】
この状態から、火災の発生により、スプリンクラー設備のスプリンクラーヘッドが開放すると、水が流出し、圧力水槽の水圧が低下する。すると、水圧低下により、消火ポンプユニット１０のポンプ４０が起動する。これにより、吸入配管８１を介して消火水槽２０内に貯めてある水を吸入口８０から汲み上げ、吐出口４３から吐出配管４５を通ってスプリンクラーヘッドに圧送し、放射させる。
【００２２】
このとき、逃がし配管８２によって、ポンプ４０内の温度上昇が防止される。逃がし配管８２を通る水は、共通排出配管４４を通って再び水槽内に吐出される。
【００２３】
消火水槽２０内において、水が所定の水位を超える場合には、オーバーフロー管２６及び排出管を通って吐出される。
【００２４】
本実施形態にかかる消火ポンプユニット１０によれば、以下のような効果が得られる。すなわち、消火水槽２０とポンプ４０とを一体に設置する構成であるため、設置スペースを狭くすることができる。また、消火ポンプユニット１０を屋外に設置する場合は、消火水槽２０と一体に機械室３０を設けることができるため、鋼板製のポンプカバーを共通化して設けることができ、製造費用が低減することができる。
【００２５】
なお、本発明は上記各実施形態で例示したものに限られるものではなく、適宜変更可能である。この他、本発明は、実施段階においてその要旨を逸脱しない範囲で構成要素を変形して具体化できる。また、上記実施形態に開示されている複数の構成要素の適宜な組み合わせにより、種々の発明を形成できる。
【符号の説明】
【００２６】
１０…消火ポンプユニット、１１…ベース部、１２…ハウジング、２０…消火水槽、３０…機械室、４０…ポンプ、８０…吸込口、８１…吸込配管、８２…逃し配管。
【図１】
2015047315.tif 000003
【図２】
2015047315.tif 000004
【図３】
2015047315.tif 000005